(57)【要約】      （修正有）【課題】椅子に座っている被介護者に圧迫感を与えることがなく、かつ被介護者の突然の動きを防止／監視することができ、しかもイスに座っている被介護者の快適な介護用補助具を提供する。【解決手段】ひじ宛付き椅子のひじ宛部１１に装着される、立ち上がり防止の補助具であって、両側のひじ宛部に連結する棒状又はベルト状の幅広のパイプ４を有し、パイプ片方の先端には、ひじ宛部の一方に固定具２で蝶番を介して装着されており、パイプのもう一方の先端には、もう一方のひじ宛部に引っ掛けて固定するフック３を具備し、パイプは、その内部に伸縮バネを内蔵した伸縮アーム部を有して伸縮可能となっている。【選択図】図１
0003203062.tif 000002
【実用新案登録請求の範囲】
【請求項１】
ひじ宛付き椅子のひじ宛部に装着される、立ち上がり防止の補助具であって、
両側のひじ宛部に連結する棒状又はベルト状の幅広のパイプを有し、
当該パイプ片方の先端には、ひじ宛部の一方に固定具で蝶番を介して装着されており、
当該パイプのもう一方の先端には、もう一方のひじ宛部に引っ掛けて固定するフックを具備し、
当該パイプは、その内部に伸縮バネを内蔵した伸縮アーム部を有して伸縮可能となっている、構造を有する、
衝動的な立ち上がりを防止する補助装置。
【請求項２】
前記パイプが、蝶番を介して装着されている個所を中心に、回転可能になっており、もう一方のひじ宛部に引っ掛けて固定して使用することを可能とした、
請求項１記載の衝動的な立ち上がりを防止する補助装置。
【請求項３】
前記パイプは使用しない状態では、蝶番を介して回転し、椅子の蝶番設置した側に垂れ下がった状態にしておくことを可能とした、請求項２記載の衝動的な立ち上がりを防止する補助装置。
【請求項４】
前記パイプは蝶番を介して２７０°回転自在にし、使用時、未使用時の収納を考慮した構造を有している、請求項３記載の衝動的な立ち上がりを防止する補助装置。
【請求項５】
前記伸縮バネの長さは５０〜１５０ｍｍであり、かつ被介護者や患者が簡単に着脱できないような張力を有し、介護者や看護士には容易に着脱可能な張力を有している、請求項１記載の衝動的な立ち上がりを防止する補助装置。
【請求項６】
前記伸縮アーム部は、パイプカバーに覆われている、請求項１記載の衝動的な立ち上がりを防止する補助装置。
【請求項７】
前記パイプは、スポンジ製カバーに覆われている、請求項１記載の衝動的な立ち上がりを防止する補助装置。
【考案の詳細な説明】
【技術分野】
【０００１】  本考案は、被介護者が座るために使用することができる介護用椅子に設置する立ち上がり防止補助具に関するものである。
【背景技術】
【０００２】  従来、車椅子に装備する補助具として、シートベルトや手すりを装備する補助具が存在する（特許文献１）。
高齢化社会の今日、介護を必要とする人々が急増している。すなわち、被介護者は、日常、（普通の）椅子に座って過ごすことが多くなってきている。また、病気療養のため病院で介護を受けながら、療養生活において椅子に座って療養生活をしている被介護者も存在する。
被介護者が椅子に座っている時間が長く、被介護者は、比較的判断能力の低い者であり、長時間椅子に腰かけている場合が、ある時、無意識に、あるいは突発的に椅子から立ち上がろうとする場合がある。例えば、しっかり歩けないのに椅子から早急に降りようとしてつまずき、ケガをする場合や、椅子から乗り出して、椅子の側面側にある傷害物とぶつかりケガをする場合がある。
介護者が監視しているのだが、長時間の監視のため、介護者がその時点での被介護者への注意が行き届かず、そのような突発的な被介護者の行動にすぐに対応できない場合が生じる。椅子に座る機会の多い被介護者の突然の立ち上がり防止のため、拘束することなく、安全な椅子からの立ち上がり防止補助具が望まれている。
【先行技術文献】
【特許文献１】特開２０１２−１６５５８号
【０００３】そうだとしても被介護者を椅子に座っている間中、シートベルト等で厳重に拘束することは、被介護者の快適な生活を奪うことになりかねない。
【０００４】  又、座っている間に眠ってしまい、わずかな振動等により前のめりになる等の、予期せぬ体勢になり、危険となる場合がある。そこで、被介護者が椅子に長時間安全に快適に座っていられるための手段が求められる。
【０００５】
【考案の概要】
【考案が解決しようとする課題】
【０００６】  本考案は、椅子に座っている被介護者に圧迫感を与えることがなく、かつ介護者の突然の動きを十分に監視することができ、しかも椅子に座っている被介護者の快適な介護用補助具を提供することを課題とする。【０００７】  本考案は、さらに、前記の介護用椅子であって長時間座っていて、突然の立ち上がりを防止することで、被介護者に損傷を生じることのない立ち上がり防止補助具を提供することを課題とする。
【課題を解決するための手段】
【０００８】  椅子に座っている被介護者に圧迫感を与えることがない、かつ突然の立ち上がりの動きを十分に防止することができる立ち上がり防止補助具との課題は、次に示す構成からなる介護用椅子により解決される。【０００９】１．  ひじ宛付き椅子のひじ宛部に装着される、立ち上がり防止の補助具であって、
両側のひじ宛部に連結する棒状又はベルト状の幅広のパイプを有し、
当該パイプ片方の先端には、ひじ宛部の一方に固定具で蝶番を介して装着されてお      り、
当該パイプのもう一方の先端には、もう一方のひじ宛部に引っ掛けて固定するフッ      クを具備し、
当該パイプは、その内部に伸縮バネを内蔵した伸縮アーム部を有して伸縮可能とな      っている、構造を有する、
衝動的な立ち上がりを防止する補助装置。
２．  前記パイプが、蝶番を介して装着されている個所を中心に、回転可能になっており      、もう一方のひじ宛部に引っ掛けて固定して
使用することを可能とした、前記１記載の衝動的な立ち上がりを防止する補助装置      。
３．  前記パイプは使用しない状態では、蝶番を介して回転し、椅子の蝶番設置した側に      垂れ下がった状態にしておくことを可能とした、前記２記載の衝動的な立ち上がり      を防止する補助装置。
４．  前記パイプは蝶番を介して２７０°回転自在にし、使用時、未使用時の収納を考慮      した構造を有している、前記３記載の衝動的な立ち上がりを防止する補助装置。
５．  前記伸縮バネの長さは、５０〜１５０ｍｍであり、かつ被介護者や患者が簡単に着      脱できないような張力を有し、介護者や看護士には容易に着脱可能な張力を有して      いる、前記１記載の衝動的な立ち上がりを防止する補助装置。
６．  前記伸縮アーム部は、パイプカバーに覆われている、前記１記載の衝動的な立ち上      がりを防止する補助装置。
７．  前記当該パイプは、スポンジ製カバーに覆われている、前記１記載の衝動的な立ち      上がりを防止する補助装置。
【考案の効果】
【００１０】本件考案に係る立ち上がり防止補助具を使用すれば、
椅子に座っている被介護者に圧迫感を与えることがなく、かつ突然の立ち上がりの動きを十分に防止することができる。
従って、高齢者や障害のある者を安心して椅子に座ることができる。又被介護者に圧迫感を与えないので、快適な生活が確保できる。
【図面の簡単な説明】
【００１１】
【図１】本考案の立ち上がり防止補助具を椅子に取り付けた全体図である。
【図２】本考案の立ち上がり防止補助具を椅子に取り付けて、使用した状態と使用しない場合に垂れ下がった状態を示した図である。
【図３】本考案の立ち上がり防止補助具の一方を固定ネジで椅子のヒジ宛部に固定した部分を示す図である。
【図４】本考案の立ち上がり防止補助具の伸縮アームパイプ部分を示す断面図である。
【図５】本考案の立ち上がり防止補助具の伸縮アームパイプの一方を椅子のヒジ宛部に固定（装着）した場合の状態を示す詳細図である。
【図６ａ】本考案の立ち上がり防止補助具の伸縮アームパイプの一方を椅子のヒジ宛部に固定（装着）した場合の状態を示す部分的詳細図である。
【図６ｂ】本考案の立ち上がり防止補助具の伸縮アームパイプの一方をイスのヒジ宛部に固定（装着）した場合において、ネジで締め付けて固定した状態を示す部分的詳細図であり、［図６ａ］を底面から見た図である。
【考案を実施するための形態】
【００１２】  ここで、ひじ宛付き椅子とは、通常の椅子で腰掛け部及び背もたれ部とひじ宛部を有する椅子を意味する。ひじ宛部とは、椅子に座った場合に被介護者が両側のヒジを乗せて置く椅子の部分である。本考案の立ち上がり防止補助具が設置可能な形態を有すれば、どんな形態でもかまわない。
座面の高さは、一般に３５ｃｍ〜５０ｃｍ
座面の奥行は、一般に３５ｃｍ〜５０ｃｍ
座面、背面の長さは、一般に３５ｃｍ〜５０ｃｍ
座面の幅は、一般に４０ｃｍ〜６０ｃｍ
等のサイズが一般的であるが、被介護者の体系に合わせて適宜調整できる。
【００１３】被介護者とは、病院、介護施設等において長期間生活している者をいう。
【００１４】両側のひじ宛部に連結する棒状又はベルト状の幅広のパイプとは、椅子の両側のヒジ宛部に直結する長さを有しているものであれば、棒状でも、ベルト状でもかまわないことを意味する。
本件明細書では、この「両側のひじ宛部に連結する棒状又はベルト状の幅広のパイプ」を「スタンド・セイフティー・バー」ともいうことがある。
上述のパイプは、金属、プラスチック、布等の材質は問わない。かなりの長期間、損傷や腐食しないものが望まれる。装着、着脱の便宜のため柔軟性のある材質が望まれる。
【００１５】本件考案は、両側のひじ宛部に連結する棒状又はベルト状の幅広のパイプを有し、当該パイプ片方の先端には、ひじ宛部の一方に固定具で蝶番を介して装着されているが、固定具は、蝶番が取り付けられる部材であれば構わない。
その材質は、金属、プラスチック等が挙げられる。
【００１６】蝶番とは、開き戸・開き蓋などの開く建具を支え開閉できるようにする部品である。ヒンジともいう。
一般的には、平蝶番が代表的であるが、場合により、旗蝶番、抜き蝶番、裏蝶番、隠し蝶番、なつめ蝶番、グラディヒンジ等をいう。
【００１７】本件考案に係るパイプは、内部に伸縮バネが内蔵されている。この伸縮バネの張力は、ひじ宛部の一方に固定具で蝶番を介して装着され、もう一方のひじ宛部に引っ掛けて固定するに十分な張力を有していればよい。その十分な張力とは、介護士等が容易に着脱できる張力であり、被介護者には外せないような張力を有すればよい。
その張力は、例えば、引張コイルばねについて換算すると、張力２Ｋｇ〜５Ｋｇ、好ましくは３Ｋｇ〜４Ｋｇの力でヒジ宛部に固定できる。そして、外すときには、５Ｋｇ〜９Ｋｇ，好ましくは６Ｋｇ〜８Ｋｇの張力でひじ宛部からフックが外れる機能を有するバネを選択するのが好ましい。上記の引張強度は「棒ばかり」の引張強度で決定したものである。例えば、手秤（三光精衡所株式会社製）でその張力を測定できる。
当該パイプは、引張強度の公的な測定基準（例えば、（社）日本ばね工業会既定の規格）に換算することも可能である。
固定ネジ側を軸として回転し、外したり、伸ばして引っ掛けて、もう一方のひじ宛に固定して使用するが、使用しないときは、外して固定ネジ側に回転させて垂れ下がった状態にしておけばよい。
【００１８】本考案に係るパイプは、固定ネジを軸として回転するのであるが、回転角度は２７０°回転できれば良い。回転方向は、横回転でも、縦回転でも可能である。
本件明細書では、横回転の場合をスタンド・セイフティ・バー（横回転式）、縦回転の場合をスタンド・セイフティ・バー（縦回転式）とも称する場合がある。
【００１９】本考案に係るパイプは、スポンジ製の安全カバーに覆われており、被介護者に直接触れないようにされている。
また、本考案に係るパイプは、本体パイプとパイプカバーと伸縮アーム・パイプ・フックからなり、伸縮アームの伸縮によりヒジ宛部への取り付けが可能となっている。
さらに、内部バネの損傷や不具合を是正、交換できるよう取り外し可能となっている。
【実施例】
【００２０】本考案に係る補助装置は、前述のごとく施設利用者の椅子からの立ち上がり防止することを目的とした補助装置として作成した。
本装置は、▲１▼タテ回転方式と▲２▼ヨコ回転方式  と施設の状況に応じて対応できる２種類を作成した。【００２１】図１に示すように、施設で多く利用されているヒジ宛付椅子に、本考案に係る補助装置を装着した全体図である。取り付けと取り外しが非常に簡単にでき、利用時も安全に使用できる構造を有していることを示したものである。【００２２】▲１▼タテ回転方式（スタンド・セイフティー・バーともいう）
ヒジ宛椅子の左右どちらでも当該装置は装着可能のようになっており、利用時は片      手で当該装置の装着・取り外しが可能とした。片一方の固定金具はイスのヒジ宛部      に引っ掛けるように横から差し込み、下部にある固定ネジでヒジ宛部に締付固定で      きるようにしたものである。
反対側のフックは５ｃｍ〜８ｃｍ  伸縮可能なバネをパイプ内部に装着し、簡単に      椅子のヒジ宛部に引っ掛けることが出来るようにした。この伸縮バネの張力はヒジ      宛椅子利用者である被介護者が簡単に取り外しできないような張力を有し、一方、      介護者、看護士等には容易に装着・取り外しが可能なバネ構造とした。
種々の調整の結果、３〜４Ｋｇの張力で固定でき、外すためには６〜８Ｋｇの張力      が適当であると判定した。上記張力の判定には、手秤（三光精衡所株式会社製）（      検定付）を使用した。
固定ネジにて装着された当該装置の反対側のフックを外すことで垂直方向に固定      ネジ側を軸として回転し、固定ネジ側の方に垂れ下がり、椅子への座りや立ち上が      りを容易にできるようにした。
また、椅子に着席した時は、当該装置を垂れ下がった方から持ち上げ、回転させ      て反対側のヒジ宛にフックにて引っ掛けて固定できるようにした。【００２３】  図３で示されているように、下記のことが確認できた。
・椅子のヒジ宛部に固定金具をはめ込み下部にある固定ネジにて締付固定する。
・固定金具の角部には蝶番が取り付けられており、この蝶番を支点として本体パイプが２７０°回転し、椅子利用している被介護者に邪魔することなく使用可能とした。【００２４】図４で示されているように、当該装置のパイプ部分に関しては、下記のことを確認し、実現できた。
・当該装置のパイプ部分は、本体パイプ（Ｉ）、パイプカバー（ＩＩ）および伸縮アーム・パイプ・フック付（ＩＩＩ）からなり、この伸縮アームの伸縮によりヒジ宛部への取り付けが可能となった。
・この伸縮アームにはフックと反対側にバネが施されており本体パイプ（Ｉ）についているフックとこのバネを接続することでフックの伸縮が可能となった。
・パイプカバー（ＩＩ）の着脱は本体パイプ（Ｉ）とネジ構造で接続しており、パイプカバー（ＩＩ）をねじることでパイプカバーを引き抜くことができ、内部バネの損傷や不具合を是正・交換できるようになっている。
・本体パイプ（Ｉ）には介護難易度により、スポンジ製安全カバーの装着も可能になっている。【００２５】▲２▼  ヨコ回転方式（スタンド・セイフティー・バーともいう）
ヒジ宛椅子の左右どちらでも当該装置は装着可能のようになっており、利用時は片      手で当該装置の装着・取り外しが可能とした。片一方の固定金具はイスのヒジ宛部      に引っ掛けるように横から差し込み、下部にある固定ネジでヒジ宛部に締付固定で      きるようにしたものである。
反対側のフックは５ｃｍ〜８ｃｍ  伸縮可能なバネをパイプ内部に装着し、簡単に      椅子のヒジ宛部に引っ掛けることが出来るようにした。この伸縮バネの張力はヒジ      宛椅子利用者である被介護者が簡単に取り外しできないような張力を有し、一方、      介護者、看護士等には容易に装着・取り外しが可能なバネ構造とした。
種々の調整の結果、３〜４Ｋｇの力で固定でき、外すためには６〜８Ｋｇの張力が      適当であると判定した。
上記張力の判定には、手秤（三光精衡所株式会社製）（検定付）を使用した。
固定ネジにて装着された当該装置の反対側のフックを外すことで水平方向に固定      ネジ側を軸として回転し、固定ネジ側の方に垂れ下がり、椅子への座りや立ち上が      りを容易にできるようにした。
また、椅子に着席した時は、当該装置を垂れ下がった方から持ち上げ、回転させ      て反対側のヒジ宛にフックにて引っ掛けて固定できるようにした。
【符号の説明】
【００２６】１  本件考案に係る補助具全体
２  本件考案に係る固定具
２ａ  固定部の蝶番部分
２ｂ  固定具のネジ部
３  引っ掛けて固定するフック
４  本件考案に係るパイプ（本体パイプ）
４ａ  伸縮アームパイプ・フック
４ｂ  本考案に係るパイプ（本体パイプ）のパイプカバー
４ｃ  スポンジ製安全カバー
１１  イスの肘宛部
【図１】
0003203062.tif 000003
【図２】
0003203062.tif 000004
【図３】
0003203062.tif 000005
【図４】
0003203062.tif 000006
【図５】
0003203062.tif 000007
【図６ａ】
0003203062.tif 000008
【図６ｂ】
0003203062.tif 000009